(57)【要約】      （修正有）【課題】子供を対象とし装着したマスクを外してもマスクを清潔に維持でき、顔面に傷害の危険がなく、外したマスクの着用を意識しやすくするマスク首掛け具を提供するとともに、大人を対象としても、食事やジョギング等でマスクを外したいときに容易に即時に外せて、外したマスクを清潔に維持できるマスク首掛け具を提供する。【解決手段】使用状態から外したマスクを、手を加えずにそのまま首にかけることを可能にするマスク首掛け具１であって、首掛け可能な長さを有し、可撓性を有し、両端部に結び目をつくった紐体２ａ、２ｂと、紐体の両端部の結び目間で両端部のそれぞれの結び目近傍に挿通状態で連結された、らせんピッチをマスクの紐が挟入可能な間隔とし、かつマスクの紐をらせんに巻き付けることにより係止可能ならせんの巻き数を有する２つの螺旋体３と、を備える。【選択図】図１
0003228726.tif 000002
【実用新案登録請求の範囲】
【請求項１】
使用状態から外したマスクを、手を加えずにそのまま首にかけることを可能にするマスク首掛け具であって、
首掛け可能な長さを有し、可撓性を有し、両端部に結び目をつくった紐体と、
前記紐体の両端部の結び目間で該両端部のそれぞれの結び目近傍に挿通状態で連結された、らせんピッチをマスクの紐が挟入可能な間隔とし、かつ前記マスクの紐をらせんに巻き付けることにより係止可能ならせんの巻き数を有する２つの螺旋体と、を備えることを特徴とするマスク首掛け具。
【請求項２】
前記螺旋体は、線材からなり、前記紐を巻き付け可能に前記線材をらせん状に形成されたらせん部と、前記螺旋体の一端側端部に前記紐体を挿通可能に前記線材をリング状に形成されたリング部と、を備えることを特徴とする請求項１に記載のマスク首掛け具。
【考案の詳細な説明】
【技術分野】
【０００１】
本考案は、マスク使用中に飲食等で一時的にマスクを外さなければならないときに、外したマスクを清潔に保持し、かつマスクのつけ忘れを発生しにくくするマスク首掛け具に関する。
【背景技術】
【０００２】
飲食するときなどにマスクを一時的に外す場合はあるが、そのときにマスクを一般的には例えば机上に置いたり、衣服のポケットに入れたり、バックに入れたりしている。そして、飲食が済んだら机上に置いたり、衣服のポケットやカバンに入れたマスクを取り出してかけている。
【０００３】
特許文献１には、ゴム紐を耳に掛けることなくマスクの被覆本体を顔面に装着可能にするマスク用のホルダーであって、後方が開口する略Ｕ字形状のフレームから成り、該フレームは外圧に対して変形し易い可とう性と該変形から復元する弾性特性を有する素材を用いて全体が構成され、該全体の構成中には閉塞側の前方保持部と開口側の側面保持部を備える形状に湾曲して形成され、前記前方保持部は顔の前面に接触して前記フレームの前方側を保持し、前記側面保持部は左右の耳の下部近傍に接触して前記フレームの弾性特性により顔を挟持し、該フレームの耳側の端部近傍には前記ゴム紐を係止する係止部が設けられ、該係止部は前記マスクの被覆本体から前記ゴム紐を前記フレームに沿って耳の下方へ案内し、前記ゴム紐は前記係止部を介して前記被覆本体を前記フレームに引き付け、使用者の耳に前記ゴム紐の張力を働かせることなく前記マスクを顔面に装着可能にしたマスクホルダーが開示されている。
【０００４】
特許文献２には、人の鼻や口の呼吸部位を覆う通気性を有する被覆本体と、前記被覆本体の相対する側部に設けた紐状の耳掛け部材とからなるマスクにおいて、前記耳掛け部材の端部を挿通する孔が形成されて、その孔に耳掛け部材端部を挿通させた状態で耳掛け部材を眼鏡のフレームに係止するための係止部材を設けたマスクホルダーが開示されている。
【先行技術文献】
【特許文献】
【０００５】
【特許文献１】特許第６１７５５８１号公報
【特許文献２】実用新案登録第３１３６５７０号公報
【考案の概要】
【考案が解決しようとする課題】
【０００６】
マスクの一般的な使用方法の場合、マスクを外し机上に置くと特に子供の場合には、机上に置いたマスクを食べ物で汚したり、床面に落下させたりして衛生上の問題があった。また、飲食が終わったあとに、机上に置いたり机の中に入れたりしたマスクのことを忘れてマスクをかけずに活動することがあるという問題もあった。
【０００７】
また、大人の場合、マスクをして話をするとマスクの内側が少し湿った状態になるが、食事等で外したマスクをポケットに入れて保管すると、食事が終わってマスクをかけたときにマスクの内側が湿った状態のままで清潔感を感じられず気持ちが悪くなるという問題があった。
【０００８】
さらに、例えば、ジョギングやウォーキングの際に口元に汗をかいたり息苦しくなったときに、立ち止まって外したマスクを丸めてポケットにねじ込んだり、ウエストバックを開けて入れなければならないという煩わしさがあり、身体から汗が出たり体温が上がったりしてポケットに丸めて入れたマスクが不衛生になりやすいという問題があった。
【０００９】
特許文献１の発明は、マスクの紐を耳にかけず、弾力性を有する線状のフレームでマスクの紐を顔面に押し当ててマスクを顔面に装着する技術であるので、顔面に線状のフレームで左右の両側から強く押し当てることは、顔面に押した跡が残るという問題があり、また子供に使用するとフレームの両端の先端で顔面に傷害が発生する危険があるという問題があった。
【００１０】
特許文献２の考案は、マスクの左右の紐の輪をメガネの左右のフレームに挿通させて係止させるマスクホルダーであるが、メガネを使用しない人には適用できないという問題があり、飲食するときに口が露わになるようにマスクを下方に下げるときに勢いよく下げるとメガネも下方に強引に下げられ脱落するという問題があり、さらにマスクを口や鼻から外して下げ顎の下にもってきた状態でいるとメガネに対し下方に引っ張る力が増加するので耳が痛くなるという問題があった。
【００１１】
本考案はこうした問題に鑑み創案されたもので、子供を対象とした場合に装着したマスクを外してもマスクを清潔に維持でき、顔面に傷害の危険がなく、外したマスクの着用を意識しやすくするマスク首掛け具を提供するとともに、大人を対象とした場合も、食事やジョギング等でマスクを外したいときに容易に即時に外せて、外したマスクを清潔に維持できるマスク首掛け具を提供することを課題とする。
【課題を解決するための手段】
【００１２】
請求項１に記載のマスク首掛け具は、使用状態から外したマスクを、手を加えずにそのまま首にかけることを可能にするマスク首掛け具であって、首掛け可能な長さを有し、可撓性を有し、両端部に結び目をつくった紐体と、前記紐体の両端部の結び目間で該両端部のそれぞれの結び目近傍に挿通状態で連結された、らせんピッチをマスクの紐が挟入可能な間隔とし、かつ前記マスクの紐をらせんに巻き付けることにより係止可能ならせんの巻き数を有する２つの螺旋体と、を備えることを特徴とする。
【００１３】
請求項２に記載のマスク首掛け具は、請求項１において、前記螺旋体は、線材からなり、前記紐を巻き付け可能に前記線材をらせん状に形成されたらせん部と、前記螺旋体の一端側端部に前記紐体を挿通可能に前記線材をリング状に形成されたリング部と、を備えることを特徴とする。
【考案の効果】
【００１４】
本考案のマスク首掛け具は、子供を対象とした場合、子供がマスクを外しても空中で保持するのでマスクを清潔に維持でき、可撓性を有する紐体であるので顔面に傷害を与える危険がなく、首にかけたマスクは気に付きやすいのでマスクのかけ忘れを防止でき、マスクをどこに置いたかわからなくなるのを防止できるという効果を奏する。
【００１５】
子供は小学校への登校時や小学校からの下校時にもいろんな活動をするが、それらの活動中のマスクの着脱保管を容易にすることができ、帰宅の際にもマスクを探す煩わしさを解消させることができるという効果を奏する。
【００１６】
また、マスクの紐が挟入可能な間隔を有する螺旋体にマスクの紐を巻き付けるので、子供の指先の力でも容易に巻くことができ、らせんにマスクの紐を巻き付けるという遊び心で子供にとっては楽しく巻き付けることができ、子供が嫌がらずに巻き付けるという効果を奏する。
【００１７】
また、大人を含めてジョキング等の際に口元に汗をかいたり息苦しくなったときに即座に容易にマスクを外すことができ、外したマスクを丸め込むことなく拡げた状態で保管でき、マスクをかけたいときにウエストバックの中を探すことなく容易にかけられるという効果を奏する。
【００１８】
さらに、マスクをして話をしたりジョキングする等の際に口元に汗をかいたりして湿ったマスクを首にかけて空中で吊り下げて保管できるので、その湿った部分を短時間で乾燥させることができ、清潔に保管できるという効果を奏する。
【００１９】
さらに、マスク首掛け具は、紐体と螺旋体からなる簡易な構成であるので安価で製作することができ、前記螺旋体の両端部を丸みに形成することで安全に使用することができる。
【図面の簡単な説明】
【００２０】
【図１】本考案のマスク首掛け具の概要説明図である。
【図２】本考案のマスク首掛け具をマスクに装着した形態の概要説明図である。
【図３】螺旋体の例示の概要説明図で、（ａ）は螺旋部が３回巻きでリング部をらせん部の軸方向にほぼ一致させて曲げ、他端側端部の先端を丸くした形態の概要説明図で、（ｂ）は螺旋部が３回巻きでリング部をらせん部の軸方向に一致させて曲げ、他端側端部の先端に輪を形成した形態の概要説明図で、（ｃ）は螺旋部が３回巻きでリング部をらせん部の軸方向にほぼ一致させて曲げ、他端側端部の先端を涙形にした形態の概要説明図である。
【図４】使用者が本考案のマスク首掛け具を装着したマスクをかけている状態の概要説明図である。
【図５】使用者が本考案のマスク首掛け具を装着したマスクを外した状態の概要説明図である。
【考案を実施するための形態】
【００２１】
本考案のマスク首掛け具１は、特に子供がマスク１０を清潔に使用でき、子供のマスク１０のかけ忘れを防止することとともに、大人向けも含めて外したマスクの一時的な保管を容易にしかつ清潔に保管できることを目的にしている。
【００２２】
本考案のマスク首掛け具１は、図１に示すように、使用状態から外したマスク１０を、手を加えずにそのまま首にかけることを可能にするマスク首掛け具１であって、首掛け可能な長さを有し、可撓性を有し、両端部に結び目をつくった紐体２と、前記紐体２の両端部の結び目間で該両端部のそれぞれの結び目近傍に挿通状態で連結された、らせんピッチをマスク１０の紐１２が挟入可能な間隔とし、かつ前記マスク１０の紐１２をらせんに巻き付けることにより係止可能ならせんの巻き数を有する２つの螺旋体３と、を備える。
【００２３】
前記紐体２は、マスク１０を外したときにマスク１０を首に掛けられるようにするため首掛け可能な長さを有し、首回りに容易に掛けられるようにするため可撓性を有する材質が好ましい。前記材質としては、例えば、繊維ヒモ、革ヒモ、ゴムヒモ、合皮ヒモ、チェーンヒモなどがあり、可撓性を有する紐であれば前記例示にこだわらずいずれの材質でもよい。
【００２４】
また、前記紐体２の両端部には、前記螺旋体３のリング部５のリングに前記紐体２を挿通させた後に前記螺旋体３が抜けないように結び目をつくる。前記結び目の位置は、両端部の前記螺旋体３間の間隔を使用者２０の使用しやすい長さに調整することができる。これにより、取り外したときに吊下げるマスク１０の高さを、飲食時などを考慮して使用者２０の使いやすい高さにすることができる。
【００２５】
また、紐体２は、図１や図２等に示すように、首回りに接する部分を幅広のストラップの紐体２ａにし両端部近傍を細径の紐体２ｂの組み合わせの形態、又は、図示していないが全長に亘り細径の紐体２ｂの形態にすることもできる。紐体２の両端部近傍は螺旋体３のリング部５に挿通させるので細径の紐体２ｂを必要とするが、他の部位については、使用者２０の好みにより前記形態にこだわらず、例えば網状帯等いかなる形態の紐体２であってもよい。紐体２の首回りに接する範囲を幅広にした方が首にマスクを安定した状態でかけているという実感を得ることができる。
【００２６】
前記螺旋体３は、図１又は図２に示すように、前記紐体２の両端部の結び目近傍にそれぞれ挿通状態で連結される。結び目のない前記紐体２の両端を前記螺旋体３のリング部５に挿通させた後に、前記螺旋体３が抜けないように前記紐体３の両端部にそれぞれ結び目をつくる。そして、図１〜図３のいずれかに示すように、前記螺旋体３は線材からなり、前記紐１２を巻き付け可能に前記線材をらせん状に形成されたらせん部４が構成されている。
【００２７】
前記螺旋体３の線材の材質は、軽量で指などでは変形し難い硬さを有し、皮膚に炎症を起こしにくい材料であればよく、例えばＡＢＳ樹脂、ポリプロピレン樹脂、ＥＶＡ樹脂などのプラスチック、医療用ステンレス、チタン合金やマグネシウム合金、ジルコニウム、タンタル、金、銀、プラチナなどの非鉄金属などがある。
【００２８】
そして、前記らせん部４は、らせんピッチをマスク１０の紐１２が挟入可能な間隔とする。但し、前記らせんピッチが前記紐１２の直径より大幅に大きすぎると、らせん部４に紐１２を巻き付けにくくなる。
【００２９】
また、前記マスク１０の紐１２をらせんに巻き付けで係止可能ならせんの巻き数を有する。前記
らせん部４のらせんの巻き数は、図３（ａ）、（ｂ）に示すように、例えば３巻きでもよく、前記マスク１０の紐１２を緩まないように巻き付けることができれば例示にこだわらずいずれの巻き数でもよい。
【００３０】
また、前記螺旋体３の一端側端部は前記紐体２を挿通可能に前記線材をリング状に形成されたリング部５を構成する。前記リング状とは、図３（ａ）に示すような完全な輪７の状態だけでなく、前記紐体２がリング部５から抜けない間隙を有する輪状（図示なし）も含む。
【００３１】
前記リング部５の輪７の向きの形態は、図３（ａ）に示すように、らせん部４の端部の１巻きをらせん部４の軸方向に対して直角方向に曲げ、さらに輪７又は輪状のリング部５をほぼ該軸方向に向けて曲げた形態、あるいは、らせん部４の端部の１巻きをらせん部４の軸方向に対して直角方向に曲げ、さらに輪７又は輪状のリング部５を該軸方向にやや曲げた形態（図示なし）などがある。リング部５とらせん部４の端部と相対関係の形態は、前記紐体２を挿通させる方向Ｈからの紐体２を輪７に容易に挿通可能な形態であればよい。
【００３２】
前記紐体２を前記リング部５に挿通させた後に前記紐体２に結び目をつくって前記螺旋体３が抜けないようにする。また、前記リング部５の線材の先端は丸みの形状に形成する構成とする。これにより使用者２０が前記先端に接触しても障害が発生することがない。
【００３３】
そして、前記螺旋体３の他端側端部６は、安全安心で、巻き付けた前記紐１２を抜き取り可能な形状であればよい。例えば、図３（ａ）に示すように先端を丸くした形態、図３（ｂ）に示すように先端に輪を形成した形態、あるいは、図３（ｃ）に示すように先端形状を涙形にした形態でもよい。いずれの形態も先端に当たっても障害を発生し難くするという効果がある。これにより使用者２０が前記先端に接触しても安全安心である。
【００３４】
次に、マスク１０にマスク首掛け具１を装着した形態は、図２に示すように、前記螺旋体３の一端側のリング部５には紐体２が挿通され、前記らせん部４にはマスク１０の紐１２がしっかりと巻き付けられる。これにより、マスク１０とマスク首掛け具１とは揺動されても分離しない連結状態となる。
【００３５】
そして、使用者２０がマスク１０使用時は、図４に示すように、マスク１０を一般的な方法でかける。このときに、不使用状態の紐体２は可撓性を有するので、使用者２０に傷害を与える懸念がなく、軽いので気にならない。
【００３６】
そして、飲食をするときやジョギングで口元に汗をかいてマスクを外したいときには、図５に示すように、紐１２を耳から外しマスク本体１１を口や鼻から外せば、あとは手をかけなくてマスク１０は自然にマスク首掛け具１により首にかけた状態になる。また、マスク１０をマスク首掛け具１により使用者は常時マスクを意識することになり、マスク１０の着用を忘れにくくなる。そして、外したマスクは空中で保管されるので、唾や汗や息で湿った部分が乾きやすく清潔に保管することができる。
【符号の説明】
【００３７】
１        マスク首掛け具
２        紐体
３        螺旋体
４        らせん部
５        リング部
６        他端側端部
７        輪
１０      マスク
１１      マスク本体
１２      ヒモ
２０      使用者
Ｈ        方向
【図１】
0003228726.tif 000003
【図２】
0003228726.tif 000004
【図３】
0003228726.tif 000005
【図４】
0003228726.tif 000006
【図５】
0003228726.tif 000007